(57)【要約】      （修正有）【課題】時間表示、照明及びブロードキャスティング番組受信及び動態装飾効果を具えた懐中電灯の提供。【解決手段】懐中電灯のケース、該ケース内に配置された装飾物２、該ケース内に配置されたキーセット３、該ケース内に配置された基板４、及び該ケースの一端に組付けられたランプカバー５で構成され、該装飾物が少なくとも一種類の液体２２、或いは二種類以上の互いに混合しない液体、及び漂流物２３で構成され、使用時に、漂流物が液体と共に漂流して動態装飾効果を有し、基板に接続された光源装置４２がランプカバー内に配置され、光源装置の発生する光がランプカバーより投射され、また時間表示機能も具備し、また基板上のＦＭ回路を利用してＦＭ番組を受信できる。【選択図】図２
0003106024.tif 000002
【実用新案登録請求の範囲】
【請求項１】
ケース、装飾物、基板、ランプカバーで構成され、
該ケースは、前半部、後半部で構成され、前半部、後半部の一端に閉口端である組付けエリアが設けられ、該組付けエリアにそれぞれ第１ウインドウが設けられ、前半部、後半部の辺縁にスイッチが挟持される切欠きがあり、
該装飾物は上述の組付けエリアに組付けられ、
該基板は、上述の前半部内に配置され、該基板の一端に光源装置が接続され、
該ランプカバーは、該ケースの一端に組付けられ、該ランプカバー内部を貫通し並びに光源装置が組付けられる貫通孔が設けられ、
以上が組み合わされて照明及び動態装飾機能を具備したことを特徴とする、懐中電灯。
【請求項２】
請求項１記載の懐中電灯において、ケースの前半部の内部に第２ウインドウ、複数の貫通孔、及び後半部と組み合わされる複数の接合部が設けられたことを特徴とする、懐中電灯。
【請求項３】
請求項１記載の懐中電灯において、後半部に収容エリアが設けられ、該収容エリアにカバーが組付けられたことを特徴とする、懐中電灯。
【請求項４】
請求項１記載の懐中電灯において、装飾物は透明ケースで構成され、その内部に液体と漂流物が設けられたことを特徴とする、懐中電灯。
【請求項５】
請求項４記載の懐中電灯において、液体が単一種類の液体とされたことを特徴とする、懐中電灯。
【請求項６】
請求項４記載の懐中電灯において、液体が二種類以上の相互に混合しない液体とされたことを特徴とする、懐中電灯。
【請求項７】
請求項１記載の懐中電灯において、基板にＦＭ番組を受信する回路が設けられたことを特徴とする、懐中電灯。
【請求項８】
請求項１記載の懐中電灯において、基板に時間表示の回路が設けられたことを特徴とする、懐中電灯。
【請求項９】
請求項１記載の懐中電灯において、基板の一端に第２ウインドウに配置された液晶ディスプレイが接続されたことを特徴とする、懐中電灯。
【請求項１０】
請求項１記載の懐中電灯において、光源装置は発光ダイオード或いはバルブのいずれかとされたことを特徴とする、懐中電灯。
【請求項１１】
請求項１記載の懐中電灯において、ケース内部にキーセットが配置されたことを特徴とする、懐中電灯。
【請求項１２】
請求項１１記載の懐中電灯において、キーセットは導電ゴムで形成され、それに底部が設けられ、該底部が、ケースの前半部に設けられた貫通孔中に配置され並びに該貫通孔より前半部の外部に露出する複数のキーを具えたことを特徴とする、懐中電灯。
【考案の詳細な説明】
【技術分野】
【０００１】
本考案は、時間表示、照明及びブロードキャスティング番組受信及び動態装飾効果を具えた懐中電灯の構造に関する。
【背景技術】
【０００２】
懐中電灯は我々の生活に不可欠の物品であり、それは停電時の緊急照明として、或いは、光線が届かないところを照らすのに昔から用いられている。
【０００３】
伝統的な懐中電灯は照明機能以外の機能を具備していなかったが、現在では懐中電灯に異なる色の光源を設けて、照明のほか救援要請に使用できるようにしたものや、コンパスとラジオ等の機能を設けたものがあり、使用者は多重の選択を行なえる。このような懐中電灯は多くの機能が増設されているが、懐中電灯全体の設計は伝統的な面白みのない設計の範囲に止まっている。
【０００４】
このほか、テクノロジーの不断の進歩により、発光ダイオードを運用した懐中電灯も出現し、それは製作上、光源照射強度を増し、使用寿命を延長する。この発光ダイオードを小型の懐中電灯に運用して、キーホルダーに掛けられるようにし、使用者が随時使用できるようにしたものもある。このような小型の懐中電灯は相当に消費電力を節約できるが、このような小型の懐中電灯も伝統的な面白みのない設計の範囲に止まっている。
【考案の開示】
【考案が解決しようとする課題】
【０００５】
本考案の主要な目的は、従来の懐中電灯の欠点を解決し、欠点の存在を無くすことにある。即ち、本考案は一種の懐中電灯を提供し、それは、懐中電灯に時間表示、ブロードキャスティング番組受信の機能のほか、動態装飾効果を有する装飾物を増設し、伝統的な目新しさのない設計を突破し、懐中電灯の使用上の楽しさを増したものとする。
【課題を解決するための手段】
【０００６】
請求項１の考案は、ケース、装飾物、基板、ランプカバーで構成され、
該ケースは、前半部、後半部で構成され、前半部、後半部の一端に閉口端である組付けエリアが設けられ、該組付けエリアにそれぞれ第１ウインドウが設けられ、前半部、後半部の辺縁にスイッチが挟持される切欠きがあり、
該装飾物は上述の組付けエリアに組付けられ、
該基板は、上述の前半部内に配置され、該基板の一端に光源装置が接続され、
該ランプカバーは、該ケースの一端に組付けられ、該ランプカバー内部を貫通し並びに光源装置が組付けられる貫通孔が設けられ、
以上が組み合わされて照明及び動態装飾機能を具備したことを特徴とする、懐中電灯としている。
請求項２の考案は、請求項１記載の懐中電灯において、ケースの前半部の内部に第２ウインドウ、複数の貫通孔、及び後半部と組み合わされる複数の接合部が設けられたことを特徴とする、懐中電灯としている。
請求項３の考案は、請求項１記載の懐中電灯において、後半部に収容エリアが設けられ、該収容エリアにカバーが組付けられたことを特徴とする、懐中電灯としている。
請求項４の考案は、請求項１記載の懐中電灯において、装飾物は透明ケースで構成され、その内部に液体と漂流物が設けられたことを特徴とする、懐中電灯としている。
請求項５の考案は、請求項４記載の懐中電灯において、液体が単一種類の液体とされたことを特徴とする、懐中電灯としている。
請求項６の考案は、請求項４記載の懐中電灯において、液体が二種類以上の相互に混合しない液体とされたことを特徴とする、懐中電灯としている。
請求項７の考案は、請求項１記載の懐中電灯において、基板にＦＭ番組を受信する回路が設けられたことを特徴とする、懐中電灯としている。
請求項８の考案は、請求項１記載の懐中電灯において、基板に時間表示の回路が設けられたことを特徴とする、懐中電灯としている。
請求項９の考案は、請求項１記載の懐中電灯において、基板の一端に第２ウインドウに配置された液晶ディスプレイが接続されたことを特徴とする、懐中電灯としている。
請求項１０の考案は、請求項１記載の懐中電灯において、光源装置は発光ダイオード或いはバルブのいずれかとされたことを特徴とする、懐中電灯としている。
請求項１１の考案は、請求項１記載の懐中電灯において、ケース内部にキーセットが配置されたことを特徴とする、懐中電灯としている。
請求項１２の考案は、請求項１１記載の懐中電灯において、キーセットは導電ゴムで形成され、それに底部が設けられ、該底部が、ケースの前半部に設けられた貫通孔中に配置され並びに該貫通孔より前半部の外部に露出する複数のキーを具えたことを特徴とする、懐中電灯としている。
【考案の効果】
【０００７】
本考案は、懐中電灯に時間表示、ブロードキャスティング番組受信の機能のほか、動態装飾効果を有する装飾物を増設し、伝統的な目新しさのない設計を突破し、懐中電灯の使用上の楽しさを増している。
【考案を実施するための最良の形態】
【０００８】
本考案の懐中電灯は、懐中電灯のケース、該ケース内に配置された装飾物、該ケース内に配置されたキーセット、該ケース内に配置された基板、及び該ケースの一端に組付けられたランプカバーで構成され、該装飾物が少なくとも一種類の液体、或いは二種類以上の互いに混合しない液体、及び漂流物で構成され、使用時に、漂流物が液体と共に漂流して動態装飾効果を有し、基板に接続された光源装置がランプカバー内に配置され、光源装置の発生する光がランプカバーより投射され、また時間表示機能も具備し、また基板上のＦＭ回路を利用してＦＭ番組を受信できる。
【実施例１】
【０００９】
図１、２、３は、本考案の懐中電灯の外観図、分解図及び組立表示図である。図示されるように、本考案の懐中電灯は、ケース１、該ケース１内に配置された装飾物２、該ケース１内に配置されたキーセット３、該ケース１内に配置された基板４、及び該ケース１の一端に組付けられたランプカバー５で構成され、該基板４は光を発生し、照射と時間表示の機能、ＦＭ番組受信の機能を提供するほか、装飾物２が懐中電灯に液体動態装飾と装飾の効果を具備させる。
【００１０】
上述のケース１は前半部１１、後半部１２で構成され、前半部１１、後半部１２の一端に閉口端である組付けエリア１１１、１２１があり、別端は開放端とされ、前述の組付けエリア１１１、１２１に第１ウインドウ１１２、１２２が設けられ、装飾物２を露出させるのに供され、また、前半部１１内部に第２ウインドウ１１３、複数の貫通孔１１４及び後半部１２と組み合わされる接合部１１５が設けられ、前半部１１、後半部１２の接合辺縁にスイッチ１３が挟まれ、並びにスイッチ１３の動作に供される切欠き１４が設けられている。また、後半部１２に収容エリア１２３が設けられ、電池６が収容され、更に収容エリア１２３にカバー１５が組付けられて電池６の脱落が防止される。
【００１１】
該装飾物２は上述の組付けエリア１１１、１２１に組付けられ、この装飾物２は透明ケース２１の内部に少なくとも一種類の、或いは２種類以上の相互に混合しない液体２２と漂流物２３が封入されてなり、液体２２及び漂流物２３が透明ケース２１の内部に封入され、組付けエリア１１１、１２１の第１ウインドウ１１２、１２２より漂流物２３が透明ケース２１内部を漂流するのを観賞できる。
【００１２】
該キーセット３は導電ゴムで製造され、それに底部３１が設けられ、該底部３１は貫通孔１１４中に配置され並びに貫通孔１１４より前半部１１の外部に露出する複数のキー３２を具えている。
【００１３】
該基板４は上述の前半部１１内に配置され並びに上述のキーセット３と対応するよう配置され、該基板４に時間表示とＦＭ番組の受信の機能を具えた回路が設けられ、基板４の一端に第２ウインドウ１１３に配置された液晶ディスプレイ４１が接続されて時間表示或いはＦＭ番組のチャンネル表示に用いられ、使用者による操作に便利とされる。また、基板４の別端は発光ダイオード或いはバルブで構成された光源装置４２に接続され、懐中電灯の照明に必要な光源を提供する。
【００１４】
該ランプカバー５はケース１の開放端に組付けられ、それはランプカバー５内部を貫通する貫通孔５１を具え、この貫通孔５１は基板４の一端の光源装置４２の組付けに供され、光源装置４２が光を発生する時、ランプカバー５より光が投射され、照明の作用が達成される。
【００１５】
図４、５は本考案の懐中電灯とランプカバーの正面図である。図示されるように、懐中電灯の各部品の組立が完成し、使用される時、使用者が時間表示機能を利用したいかか、或いは音楽を聴きたいか或いはブロードキャスティング番組を受信したい時、キーセット３のキー３２を押して時計或いはラジオの周波数をチューニング、周波数幅変調し、周波数幅変調の音声周波信号をケース１の後半部１２内部に配置された出力手段（スピーカー）で放送する。
【００１６】
使用者が懐中電灯を使用したい時は、ケース１外のスイッチ１３の押動させると、スイッチ１３の弾性片と基板４が接触した後、電源が導通し光源装置４２に伝わり、このとき光源装置４２の発生する光線がランプカバー５より投射されて照明の効果を達成する。
【００１７】
懐中電灯を使用者が握持する時、組付けエリア１１１、１２１の第１ウインドウ１１２、１２２より装飾物２内部の漂流物２３が液体２２に伴い漂流するのが見え、動態装飾効果を達成し、更に懐中電灯使用の楽しみを増す。即ち懐中電灯不使用時にも該装飾物２は懐中電灯の装飾効果を有する。
【００１８】
さらに、装飾物２内部の漂流物２３は動物、植物、漫画のキャラクター等の造形とされるほか、会社の商標パターンとされて可動式広告の目的を形成できる。
【００１９】
以上は本考案の好ましい実施例の説明であって、本考案の請求範囲を限定するものではなく、本考案に基づきなしうる細部の修飾或いは改変は、いずれも本考案の請求範囲に属するものとする。
【図面の簡単な説明】
【００２０】
【図１】本考案の懐中電灯の外観図である。
【図２】図１の分解図である。
【図３】図１の組立表示図である。
【図４】本考案の懐中電灯の正面図である。
【図５】本考案のランプカバーの正面図である。
【符号の説明】
【００２１】
１  ケース
１１  前半部
１２  後半部
１１１、１２１  組付けエリア
１１２、１２２  第１ウインドウ
１１３  第２ウインドウ
１１４  貫通孔
１１５  接合部
１３  スイッチ
１４  切欠き
１２３  収容エリア
６  電池
１５  カバー
２  装飾物
２１  透明ケース
２２  液体
２３  漂流物
３  キーセット
３１  底部
３２  キー
４  基板
４１  液晶ディスプレイ
４２  光源装置
５  ランプカバー
５１  貫通孔
【図１】
0003106024.tif 000003
【図２】
0003106024.tif 000004
【図３】
0003106024.tif 000005
【図４】
0003106024.tif 000006
【図５】
0003106024.tif 000007